【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  ＣＤＭＡ通信システムのセル（ＣＬ）内の複数の伝播パス（Ｐ１，Ｐ２）についてＣＤＭＡ基地局（ＢＳ）及びＣＤＭＡ移動局（ＭＳ）の間のＣＤＭＡ信号伝送のパワー遅延スペクトルを決定するマルチパス伝播遅延決定装置（ＳＴＵ，図６，図７）において、
ａ）前記セル（ＣＬ）内の少なくとも１つのアンテナ（Ａｎｔ１，Ａｎｔ２）から受信したアナログＣＤＭＡマルチパス信号（Ｓ１，Ｓ２）を複素パイロット記号（ＰＳｉ）及びデータ記号（ＰＤｉ）を有する連続したタイムスロット（ＴＳ１…ＴＳｍ）を含んだ連続したラジオフレーム（ＲＦ１…ＲＦｎ）から成るデジタルＣＤＭＡマルチパス信号（Ｓ１，Ｓ２）に変換するＡ／Ｄ変換装置（Ａ／Ｄ）と、
ｂ）各ラジオフレーム（ＲＦｎ）の少なくとも２つの連続したタイムスロット（ＴＳｋ−１，ＴＳｋ，ＴＳｋ＋１）から複素パイロット記号（ＰＳｉ）及びデータ記号（ＰＤｉ）を抽出すると共に、これらを連続的にメモリ装置（ＢＵＦ）に記憶するデマルチプレクス装置（ＰＩ−ＤＥＭＵＸ）と、
ｃ）前記抽出し記憶した複素パイロット記号及び前記データ記号（ＰＳｉ，ＰＤｉ）に基づいて前記各アンテナ（Ａｎｔ．１，Ａｎｔ．２）のパワー遅延プロファイル（ＤＰＳ，ＤＰＳ１，ＤＰＳ２，図１４）を決定するサーチ装置（Ｓ１…ＳＬ）と、を具備したことを特徴とする前記装置。
【請求項２】  請求項１記載の装置（ＳＴＵ，図６，図７）において、
ｃ１）所定のデスプレッドシーケンス（ＤＥＳＰ−ＳＱ）を発生するデスプレッドシーケンス発生器（ＰＮ−ＧＥＮ）と、
ｃ２）前記デスプレッドシーケンス（ＤＥＳＰ−ＳＱ；ＰＮ＿Ｒｅ，ＰＮ＿Ｉｍ）を有する前記複素パイロット記号（ＰＳｉ；Ｒｘ＿Ｒｅ，Ｒｘ＿Ｉｍ）のおのおのをデスプレッドして、各タイムスロット（ＴＳｋ−１，ＴＳｋ，ＴＳｋ＋１）の間にデスプレッドした複素パイロット値（ＰＳｉ′，Ｒｘ＿Ｒｅ′，Ｒｘ＿Ｉｍ′）を出力するデスプレッド装置（ＤＥＳＰ，ＣＭ，ＭＭ，ＩＭ）と、
ｃ３）前記デスプレッドした複素パイロット値（ＰＳｉ′，Ｒｘ＿Ｒｅ′，Ｒｘ＿Ｉｍ′）を平均化する平均化装置（ＡＣＣ−ＡＶ）であって、
ｃ３１）少なくとも２つの連続したタイムスロット（ＴＳｋ−１，ＴＳｋ，ＴＳｋ＋１）の対応するデスプレッドした複素パイロット記号（ＰＳｉ）の実部及び虚部（ＰＳｉ，Ｒｘ＿Ｒｅ′，Ｒｘ＿Ｉｍ′）を１つの複素パワー遅延スペクトルサンプル値（ＤＰＳｉ（バー），Ｒｅ＿Ｉｍｐ（位相），Ｉｍ＿Ｉｍｐ（位相））に可干渉的に加算する干渉性累算装置（ＳＵＭ３）と、
ｃ３２）前記１つの複素パワー遅延スペクトルサンプル値（ＤＰＳｉ（バー），Ｒｅ＿Ｉｍｐ（位相），Ｉｍ＿Ｉｍｐ（位相））を決定することによって、実パワー遅延スペクトルサンプル値（ＤＰＳｉ）を出力する絶体値決定装置と、
ｃ３３）前記デスプレッド発生器（ＰＮ−ＧＥＮ）によって発生した前記デスプレッドシーケンス及び前記抽出し記憶したパイロット記号（ＰＳｉ）それに前記データ記号（ＰＤｉ）の間の位相を逐次的に所定回数シフトする制御装置（ＰＮ−ＣＮＴＲＬ）であって、前記絶体値決定装置（ＳＱ）が位相シフトに依存する所定数の実パワー遅延スペクトルサンプル値（ＤＰＳｉ）を実パワー遅延スペクトル（ＤＰＳ）として出力してなる前記制御装置と、を備えてなる前記平均化装置と、を具備したことを特徴とする前記装置。
【請求項３】  請求項１記載の装置（ＳＴＵ；図７，図９）において、前記装置がＣＤＭＡ基地局（ＢＳ；図７，図９）またはＣＤＭＡ移動局に組み込まれていることを特徴とする前記装置。
【請求項４】  請求項２記載の装置（ＳＴＵ；図７，図９）において、前記デスプレッド装置（ＤＥＳＰ，ＣＭ，ＭＭ，ＩＭ）、前記干渉性累算装置（ＳＵＭ３）及び前記絶体値決定装置（ＡＢＳ）は少なくとも２つのそれぞれの連続したタイムスロットにて、各値が対応するデスプレッド複素パイロット記号の干渉性付加に基づいている複数の実パワー遅延スペクトルサンプル値（ＤＰＳｉ）を各位相シフトで決定し、この際、１つの値に対して使用される少なくとも２つの連続したタイムスロットは別の値に対して使用されるタイムスロットとは異なり、
対応する実パワー遅延スペクトルサンプル値を非可干渉的に付加して、１つの実パワー遅延スペクトルサンプル値（ＤＰＳ）を出力する非干渉性累算装置（ＳＵＭ４）が設けられることを特徴とする前記装置。
【請求項５】  請求項３記載の装置（ＳＴＵ；図１，図６，図１２）において、前記ＣＤＭＡ基地局（ＢＳ）によってサーブされる前記ＣＤＭＡセル（ＣＬ）は、おのおのが少なくとも１つのアンテナ（Ａｎｔ１，Ａｎｔ２）を備えた所定数のセクタ（ＳＥＣＴ１…ＳＥＣＴ６）に細分され、前記Ａ／Ｄ変換装置が全ての前記アンテナ信号を対応するデジタルＣＤＭＡマルチパス信号（Ｓ１，Ｓ２）に変換し、
所定数のサーチユニット（Ｓ１…ＳＬ）が設けられ、
制御装置（ＣＮＴＲＬ）によって出力されたアプリケーション制御シーケンスに応答して前記デジタルＣＤＭＡマルチパス信号（Ｓ１，Ｓ２）を前記個々のサーチユニット（Ｓ１，ＳＬ）に加える選択装置（ＳＥＬ）を設けたこと、を特徴とする前記装置。
【請求項６】  請求項５記載の装置（ＳＴＵ；図６）において、各セクタ（ＳＥＣＴ１…ＳＥＣＴ６）は２つのアンテナ（Ａｎｔ１，Ａｎｔ２）を含み、前記選択装置（ＳＥＬ）は各セクタ（ＳＥＣＴ１…ＳＥＣＴ６）からの変換したデジタルＣＤＭＡマルチパス信号（Ｓ１…Ｓ２）をそれぞれ１つのサーチユニット（Ｓ１…ＳＬ）に加えることを特徴とする前記装置。
【請求項７】  請求項２記載の装置（ＳＴＵ；図９）において、前記デスプレッド装置（ＤＥＳＰ）は乗算装置（ＭＭ）及び積分装置（ＩＭ）から成る複素相関器（ＣＭ）を備えていることを特徴とする前記装置。
【請求項８】  請求項７記載の装置（ＳＴＵ；図９）において、前記乗算装置（ＭＭ）は第１、第２、第３及び第４の乗算器（Ｍ１，Ｍ２，Ｍ３，Ｍ４）それに第１及び第２の加算器（ＡＤＤ１，ＡＤＤ２）を備え、前記第１の乗算器（Ｍ１）は各パイロット記号の実部（Ｒｘ＿Ｒｅ）と前記デスプレッドシーケンスの記号の実部（ＰＮ＿Ｒｅ）を乗算し、前記第２の乗算器（Ｍ２）は前記パイロット記号の虚部（Ｒｘ＿Ｉｍ）と前記デスプレッドシーケンスからの記号の実部（ＰＮ＿Ｒｅ）を乗算し、前記第３の乗算器（Ｍ３）は各パイロット記号の虚部（Ｒｘ＿Ｉｍ）と前記デスプレッドシーケンスの前記記号の虚部（ＰＮ＿Ｉｍ）を乗算し、前記第４の乗算器（Ｍ４）は各パイロット記号の実部（Ｒｘ＿Ｒｅ）と前記デスプレッドシーケンスの前記記号の虚部（ＰＮ＿Ｉｍ）を乗算し、前記第１の加算器（ＡＤＤ１）は前記第１及び第３の乗算器（Ｍ１，Ｍ３）からの出力を加算し、前記第２の加算器（ＡＤＤ２）は前記第２及び第４の乗算器（Ｍ２，Ｍ４）の出力を加算し、前記積分装置（ＩＭ）は所定数のパイロットチップ（Ｎ＿ｐｉｌｏｔ＿ｃｈｉｐｓ）に渡って前記第１及び第２の加算器（ＡＤＤ１，ＡＤＤ２）から出力した値をそれぞれ加算する第１及び第２の合計ユニット（ＳＵＭ１，ＳＵＭ２）を備え、前記第１及び第２の合計ユニット（ＳＵＭ１，ＳＵＭ２）は前記デスプレッドした複素パイロット値の実部及び虚部（ＰＳｉ′，Ｒｘ＿Ｒｅ′，Ｒｘ＿Ｉｍ′）をそれぞれ出力することを特徴とする前記装置。
【請求項９】  ２つのダイバーシチ受信アンテナ（Ａｎｔ１，Ａｎｔ２）を有する所定数のセクタ（ＳＥＣＴ１…ＳＥＣＴ６）にそれぞれ細分されたＣＤＭＡセル（ＣＬ）内の複数の伝播パス（Ｐ１，Ｐ２）についてＣＤＭＡ基地局（ＢＳ）及びＣＤＭＡ移動局（ＭＳ）間のＣＤＭＡ信号伝送の実パワー遅延スペクトル（ＤＰＳ１，ＤＰＳ２）を決定するマルチパス伝播遅延決定装置（ＳＴＵ，図６，図１０）において、
前記実パワー遅延スペクトル（ＤＰＳ１，ＤＰＳ２）から、前記マルチパス伝送の所定数の伝播パス（Ｐ１，Ｐ２）の遅延時間（ｄ1′…ｄN′）を決定するパス選択ユニット（ＰＳＵ）を具備し、該パス選択ユニット（ＰＳＵ）が、
前記パワー遅延スペクトル（ＤＰＳ）での所定数のピーク（ＭＡＸ１，ＭＡＸ２，ＭＡＸｎ）を検出すると共に、該検出したピークに対応する前記実パワー遅延スペクトル（ＤＰＳ）のうちの少なくともそれらのサンプルを除去するかまたはこれらを零に設定するピーク検出／除去装置（ＰＤ−ＲＶ）と、
除去されたかまたは零に設定された前記ピークサンプルを有する前記実パワー遅延スペクトル（ＤＰＳ）を平均化するノイズ推定装置（ＮＥＳＴ）と、
有効ノイズ値としきい値因子（ＴＨＲＳ）と乗算することによって形成したしきい値（ＤＰＳ*（バー）×ＴＨＲＳ）を超えた前記決定したピークの遅延時間（ｄ1′…ｄN′；ｄmax1…ｄmaxN）を選択するパス推定装置（ＰＥＳＴ）と、
セクタ当り２つのアンテナ（Ａｎｔ１，Ａｎｔ２）の第１及び第２の実パワー遅延スペクトル（ＤＰＳ１，ＤＰＳ２）を合算する加算器（ＡＤＤ）であって、前記ピーク検出及び除去装置（ＰＤ−ＲＶ）が前記加算した実パワー遅延スペクトル（ＤＰＳ′）の各ピークを検出し及び零にするかまたは除去してなる前記加算器と、
前記パス推定装置（ＰＥＳＴ）によって決定された前記乗算したしきい値（ＤＰＳ*（バー）×ＴＨＲＳ）を決定した遅延値（ｄmax1，ｄmax2，ｄmaxN）にて各アンテナの前記第１及び第２の実パワー遅延スペクトル（ＤＰＳ１，ＤＰＳ２）とそれぞれ比較する第１及び第２のパス検査装置（ＰＶＥＲ１，ＰＶＥＲ２）であって、前記乗算したしきい値以上の前記第１及び第２のパワー遅延スペクトルのこの種のピークのみが検出されてなる前記第１及び第２のパス検査装置と、を備えたことを特徴とする前記装置。
【請求項１０】  ２つのダイバーシチ受信アンテナ（Ａｎｔ１，Ａｎｔ２）を有する所定数のセクタ（ＳＥＣＴ１…ＳＥＣＴ６）にそれぞれ細分されたＣＤＭＡセル（ＣＬ）内の複数の伝播パス（Ｐ１，Ｐ２）についてＣＤＭＡ基地局（ＢＳ）及びＣＤＭＡ移動局（ＭＳ）間のＣＤＭＡ信号伝送の実パワー遅延スペクトル（ＤＰＳ１，ＤＰＳ２）を決定するマルチパス伝播遅延決定装置（ＳＴＵ）において、
各セクタでのマルチパス伝送の前記実パワー遅延スペクトル（ＤＰＳ１，ＤＰＳ２）を決定する複数のサーチ装置（Ｓ１…ＳＬ）と、
前記実パワー遅延スペクトル（ＤＰＳ１，ＤＰＳ２）から、前記マルチパス伝送の所定数の最も強い伝播パス（Ｐ１，Ｐ２）の各遅延時間（ｄ1′…ｄN′）及び該遅延時間（ｄ1′…ｄN′）が属する能動的セクタ（ＳＥＣＴ１…ＳＥＣＴ６）を示すそれぞれの選択情報（ｓ1′…ｓN′）を決定するパス選択ユニット（ＰＳＵ）と、
前記遅延時間、それに能動的及び非能動的セクタの前記選択情報（ｓ1′…ｓN′）に基づいて、セクタ走査ルール（図１３）を決定して、選択装置（ＳＥＬ）に対してラジオフレーム（ＲＦｎ）のそれぞれのタイムスロット（ＴＳｉ）での特別のタイミングで特別のアンテナ信号を前記サーチ装置（Ｓ１…ＳＬ）に加えるように命令すると共に、特別のアンテナ信号を前記サーチ装置（Ｓ１…ＳＬ）に加えたときにそれぞれ得られる実パワー遅延スペクトル（ＤＰＳ）を評価して、前記ＣＤＭＡセル（ＣＬ）内の前記移動局（ＭＳ）の位置及び／又は移動方向を決定するトラッキング及び制御装置（ＴＲＣＵ）と、を具備したことを特徴とする前記装置。
【手続補正２】
【補正対象書類名】明細書
【補正対象項目名】００６４
【補正方法】変更
【補正の内容】
【００６４】
ここで、パイロット記号の周期の抽出にて意味することは実際、パイロット記号（図１１における影のついた領域）の抽出である。好ましくは、２Ｍチップ（２Ｍ×オーバーサンプリングレートサンプル、例えば、２×１２８＝１０２４サンプル）がパイロット記号として抽出される。好ましくは、付加的な１６０サンプル（遅延スプレッド）がアンテナ信号（複素入力データストリーム）から抽出される。こうして、計算すべきＤＰＳは最終的に１６０の実パワー遅延スペクトルサンプル値から構成されることとなる。
【手続補正３】
【補正対象書類名】明細書
【補正対象項目名】００７５
【補正方法】変更
【補正の内容】
【００７５】
図７に示すように、デスプレッダＤＥＳＰからの出力データは制御装置ＣＮＴＲＬによって制御される遅延プロファイルＤＰＳを計算する可干渉性累算／平均化装置ＡＣＣ−ＡＶに入力される。データプロファイルは本質的に、フレームクロック制御信号ＦＣＣに応答してデモジュレータ出力データ（抽出したパイロット記号プラス付加的サンプル）に基づいて発生される。本発明によるデスプレッダＤＥＳＰ及び可干渉性累算／平均化装置ＡＣＣ−ＡＶの実施例を図９に示す。
【手続補正４】
【補正対象書類名】明細書
【補正対象項目名】００８４
【補正方法】変更
【補正の内容】
【００８４】
可干渉性累算／平均化装置ＡＣＣ−ＡＶの複素出力、即ち、実部Ｒｅ＿Ｉｍｐ［フェーズ］及びＩｍ＿Ｉｍｐ［フェーズ］は次いで二乗ユニットＳＱに入力される。このユニットにおいて、ＳＵＭ３の実部及び虚部はそれぞれ二乗され加算される（｜（ａ＋ｊｂ）｜2＝ａ2＋ｂ2）。ユニットＳＱの出力、即ち、部分的実遅延プロファイル値ＤＰＳｉは、サンプルの非可干渉性累算を行う合算ユニットＳＵＭ４に入力される。合算ユニットＳＵＭ４からの出力は実際の実遅延プロファイルＤＰＳである。こうして、合算ユニットＳＵＭ４は本質的に２つ以上の続くスロットからの２つの遅延プロファイルＤＰＳiを平均化する。こうして、遅延プロファイル決定の基礎的原理は、各タイムスロットにて複素値チャンネル推定を行い、次いで少なくとも２つのタイムスロットの複素チャンネル推定量（複素サンプル）を非可干渉的に加算し、最終的に、それぞれ２つのタイムスロットからの（加算した）チャンネル推定量の遅延プロファイル（実数の値）を非可干渉的に加算することである。
【手続補正５】
【補正対象書類名】明細書
【補正対象項目名】０１４２
【補正方法】変更
【補正の内容】
【０１４２】
発明の最良の形態として現在認められるこの発明の説明、好ましい実施例及び諸例について述べてきた。しかしながら、この発明の種々の修正及び変形が前述の技術的教示から当業者にとって可能であることは明白である。従って、この発明は前述した各実施例及び各例に制限されるものとして了知すべきではなく、この発明の範囲は特許請求の範囲によって規定される。特許請求の範囲において、参照番号は説明のためのものであって、各請求項の範囲を制限するものではない。
上述した最良の形態として現在認められる発明を以下に示す。
（第１の発明）  ＣＤＭＡ通信システムのセル（ＣＬ）内の複数の伝播パス（Ｐ１，Ｐ２）についてＣＤＭＡ基地局（ＢＳ）及びＣＤＭＡ移動局（ＭＳ）の間のＣＤＭＡ信号伝送のパワー遅延スペクトルを決定するマルチパス伝播遅延決定装置（ＳＴＵ，図６，図７）において、
ａ）前記セル（ＣＬ）内の少なくとも１つのアンテナ（Ａｎｔ１，Ａｎｔ２）から受信したアナログＣＤＭＡマルチパス信号（Ｓ１，Ｓ２）を複素パイロット記号（ＰＳｉ）及びデータ記号（ＰＤｉ）を有する連続したタイムスロット（ＴＳ１…ＴＳｍ）を含んだ連続したラジオフレーム（ＲＦ１…ＲＦｎ）から成るデジタルＣＤＭＡマルチパス信号（Ｓ１，Ｓ２）に変換するＡ／Ｄ変換装置（Ａ／Ｄ）と、
ｂ）各ラジオフレーム（ＲＦｎ）の少なくとも２つの連続したタイムスロット（ＴＳｋ−１，ＴＳｋ，ＴＳｋ＋１）から複素パイロット記号（ＰＳｉ）及びデータ記号（ＰＤｉ）を抽出すると共に、これらを連続的にメモリ装置（ＢＵＦ）に記憶するデマルチプレクス装置（ＰＩ−ＤＥＭＵＸ）と、
ｃ）前記抽出し記憶した複素パイロット記号及び前記データ記号（ＰＳｉ，ＰＤｉ）に基づいて前記各アンテナ（Ａｎｔ．１，Ａｎｔ．２）のパワー遅延プロファイル（ＤＰＳ，ＤＰＳ１，ＤＰＳ２，図１４）を決定するサーチ装置（Ｓ１…ＳＬ）と、を具備したことを特徴とする前記装置。
（第２の発明）  第１の発明（ＳＴＵ，図６，図７）において、
ｃ１）所定のデスプレッドシーケンス（ＤＥＳＰ−ＳＱ）を発生するデスプレッドシーケンス発生器（ＰＮ−ＧＥＮ）と、
ｃ２）前記デスプレッドシーケンス（ＤＥＳＰ−ＳＱ；ＰＮ＿Ｒｅ，ＰＮ＿Ｉｍ）を有する前記複素パイロット記号（ＰＳｉ；Ｒｘ＿Ｒｅ，Ｒｘ＿Ｉｍ）のおのおのをデスプレッドして、各タイムスロット（ＴＳｋ−１，ＴＳｋ，ＴＳｋ＋１）の間にデスプレッドした複素パイロット値（ＰＳｉ′，Ｒｘ＿Ｒｅ′，Ｒｘ＿Ｉｍ′）を出力するデスプレッド装置（ＤＥＳＰ，ＣＭ，ＭＭ，ＩＭ）と、
ｃ３）前記デスプレッドした複素パイロット値（ＰＳｉ′，Ｒｘ＿Ｒｅ′，Ｒｘ＿Ｉｍ′）を平均化する平均化装置（ＡＣＣ−ＡＶ）であって、
ｃ３１）少なくとも２つの連続したタイムスロット（ＴＳｋ−１，ＴＳｋ，ＴＳｋ＋１）の対応するデスプレッドした複素パイロット記号（ＰＳｉ）の実部及び虚部（ＰＳｉ，Ｒｘ＿Ｒｅ′，Ｒｘ＿Ｉｍ′）を１つの複素パワー遅延スペクトルサンプル値（ＤＰＳｉ（バー），Ｒｅ＿Ｉｍｐ（位相），Ｉｍ＿Ｉｍｐ（位相））に可干渉的に加算する干渉性累算装置（ＳＵＭ３）と、
ｃ３２）前記１つの複素パワー遅延スペクトルサンプル値（ＤＰＳｉ（バー），Ｒｅ＿Ｉｍｐ（位相），Ｉｍ＿Ｉｍｐ（位相））を決定することによって、実パワー遅延スペクトルサンプル値（ＤＰＳｉ）を出力する絶体値決定装置と、
ｃ３３）前記デスプレッド発生器（ＰＮ−ＧＥＮ）によって発生した前記デスプレッドシーケンス及び前記抽出し記憶したパイロット記号（ＰＳｉ）それに前記データ記号（ＰＤｉ）の間の位相を逐次的に所定回数シフトする制御装置（ＰＮ−ＣＮＴＲＬ）であって、前記絶体値決定装置（ＳＱ）が位相シフトに依存する所定数の実パワー遅延スペクトルサンプル値（ＤＰＳｉ）を実パワー遅延スペクトル（ＤＰＳ）として出力してなる前記制御装置と、を備えてなる前記平均化装置と、を具備したことを特徴とする前記装置。
（第３の発明）  第１の発明（ＳＴＵ；図７，図９）において、前記装置がＣＤＭＡ基地局（ＢＳ；図７，図９）またはＣＤＭＡ移動局に組み込まれていることを特徴とする前記装置。
（第４の発明）  第２の発明（ＳＴＵ；図７，図９）において、前記デスプレッド装置（ＤＥＳＰ，ＣＭ，ＭＭ，ＩＭ）、前記干渉性累算装置（ＳＵＭ３）及び前記絶体値決定装置（ＡＢＳ）は少なくとも２つのそれぞれの連続したタイムスロットにて、各値が対応するデスプレッド複素パイロット記号の干渉性付加に基づいている複数の実パワー遅延スペクトルサンプル値（ＤＰＳｉ）を各位相シフトで決定し、この際、１つの値に対して使用される少なくとも２つの連続したタイムスロットは別の値に対して使用されるタイムスロットとは異なり、
対応する実パワー遅延スペクトルサンプル値を非可干渉的に付加して、１つの実パワー遅延スペクトルサンプル値（ＤＰＳ）を出力する非干渉性累算装置（ＳＵＭ４）が設けられることを特徴とする前記装置。
（第５の発明）  第１の発明（ＳＴＵ；図５，図６）において、前記実パワー遅延スペクトル（ＤＰＳ）から前記マルチパス伝送の所定数の伝播パス（Ｐ１，Ｐ２）の遅延時間を決定するパス選択ユニット（ＰＳＵ）を更に具備したことを特徴とする前記装置。
（第６の発明）  第３及び第５の発明（ＳＴＵ；図６）において、少なくともサーチユニットにて使用されるサーチウインドウを応用すると共に、前記移動局（ＭＳ）及び前記基地局（ＢＳ）の間の位置及び／又は距離変化に従ってパワー遅延スペクトル（ＤＰＳ）及び遅延時間（ｄ1′…ｄN′）を更新するトラッキング及び制御ユニット（ＴＲＣＵ）を更に具備したことを特徴とする前記装置。
（第７の発明）  第３の発明（ＳＴＵ；図１，図６，図１２）において、前記ＣＤＭＡ基地局（ＢＳ）によってサーブされる前記ＣＤＭＡセル（ＣＬ）は、おのおのが少なくとも１つのアンテナ（Ａｎｔ１，Ａｎｔ２）を備えた所定数のセクタ（ＳＥＣＴ１…ＳＥＣＴ６）に細分され、前記Ａ／Ｄ変換装置が全ての前記アンテナ信号を対応するデジタルＣＤＭＡマルチパス信号（Ｓ１，Ｓ２）に変換し、
所定数のサーチユニット（Ｓ１…ＳＬ）が設けられ、
制御装置（ＣＮＴＲＬ）によって出力されたアプリケーション制御シーケンスに応答して前記デジタルＣＤＭＡマルチパス信号（Ｓ１，Ｓ２）を前記個々のサーチユニット（Ｓ１，ＳＬ）に加える選択装置（ＳＥＬ）を設けたこと、を特徴とする前記装置。
（第８の発明）  第７の発明（ＳＴＵ；図６）において、各セクタ（ＳＥＣＴ１…ＳＥＣＴ６）は２つのアンテナ（Ａｎｔ１，Ａｎｔ２）を含み、前記選択装置（ＳＥＬ）は各セクタ（ＳＥＣＴ１…ＳＥＣＴ６）からの変換したデジタルＣＤＭＡマルチパス信号（Ｓ１…Ｓ２）をそれぞれ１つのサーチユニット（Ｓ１…ＳＬ）に加えることを特徴とする前記装置。
（第９の発明）  第７または第８の発明（ＳＴＵ；図６，図１２）において、セクタ（ＳＥＣＴ１…ＳＥＣＴ６）の数はサーチユニット（Ｓ１…ＳＬ）の数に等しいことを特徴とする前記装置。
（第１０の発明）  第７または第８の発明（ＳＴＵ；図６，図１２）において、セクタ（ＳＥＣＴ１…ＳＥＣＴ６）の数はサーチユニット（Ｓ１…ＳＬ）の数よりも小さいかまたは大きいことを特徴とする前記装置。
（第１１の発明）  第１の発明（ＳＴＵ；図８）において、前記デマルチプレクス装置（ＰＩ−ＤＥＭＵＸ）はスイッチ装置（ＳＳＷ）、前記メモリ装置（ＢＵＦ）及びシンク装置（ＳＮＫ）を備え、制御装置（ＣＮＴＲＬ）はフレームクロック制御信号（ＦＦＣ）に応答して前記スイッチ装置（ＳＳＷ）を制御して前記抽出した複素パイロット記号及びデータ記号を連続的に前記メモリ装置（ＢＵＦ）に転送し、前記タイムスロットの他のデータ記号を前記シンク装置（ＳＮＫ）に転送することを特徴とする前記装置。
（第１２の発明）  第２の発明（ＳＴＵ；図９）において、前記デスプレッド装置（ＤＥＳＰ）は乗算装置（ＭＭ）及び積分装置（ＩＭ）から成る複素相関器（ＣＭ）を備えていることを特徴とする前記装置。
（第１３の発明）  第１２の発明（ＳＴＵ；図９）において、前記乗算装置（ＭＭ）は第１、第２、第３及び第４の乗算器（Ｍ１，Ｍ２，Ｍ３，Ｍ４）それに第１及び第２の加算器（ＡＤＤ１，ＡＤＤ２）を備え、前記第１の乗算器（Ｍ１）は各パイロット記号の実部（Ｒｘ＿Ｒｅ）と前記デスプレッドシーケンスの記号の実部（ＰＮ＿Ｒｅ）を乗算し、前記第２の乗算器（Ｍ２）は前記パイロット記号の虚部（Ｒｘ＿Ｉｍ）と前記デスプレッドシーケンスからの記号の実部（ＰＮ＿Ｒｅ）を乗算し、前記第３の乗算器（Ｍ３）は各パイロット記号の虚部（Ｒｘ＿Ｉｍ）と前記デスプレッドシーケンスの前記記号の虚部（ＰＮ＿Ｉｍ）を乗算し、前記第４の乗算器（Ｍ４）は各パイロット記号の実部（Ｒｘ＿Ｒｅ）と前記デスプレッドシーケンスの前記記号の虚部（ＰＮ＿Ｉｍ）を乗算し、前記第１の加算器（ＡＤＤ１）は前記第１及び第３の乗算器（Ｍ１，Ｍ３）からの出力を加算し、前記第２の加算器（ＡＤＤ２）は前記第２及び第４の乗算器（Ｍ２，Ｍ４）の出力を加算し、前記積分装置（ＩＭ）は所定数のパイロットチップ（Ｎ＿ｐｉｌｏｔ＿ｃｈｉｐｓ）に渡って前記第１及び第２の加算器（ＡＤＤ１，ＡＤＤ２）から出力した値をそれぞれ加算する第１及び第２の合計ユニット（ＳＵＭ１，ＳＵＭ２）を備え、前記第１及び第２の合計ユニット（ＳＵＭ１，ＳＵＭ２）は前記デスプレッドした複素パイロット値の実部及び虚部（ＰＳｉ′，Ｒｘ＿Ｒｅ′，Ｒｘ＿Ｉｍ′）をそれぞれ出力することを特徴とする前記装置。
（第１４の発明）  第５の発明（ＳＴＵ；図１０，図１４）において、前記パス選択ユニット（ＰＳＵ）が、
前記パワー遅延スペクトル（ＤＰＳ）での所定数のピーク（ＭＡＸ１，ＭＡＸ２，ＭＡＸｎ）を検出すると共に、零を設定するかまたは前記検出したピークに対応する前記実パワー遅延スペクトル（ＤＰＳ）の少なくともこれらのサンプル及び前記最大の左右の所定数の付加的サンプルを除去するピーク検出／除去装置（ＰＤ−ＲＶ）と、
ピークサンプル及び零に設定されたかまたは除去された前記付加的サンプルを有する実パワー遅延スペクトル（ＤＰＳ）を平均化して有効ノイズ値を決定するノイズ推定装置（ＮＥＳＴ）と、
前記有効ノイズ値としきい値因子を乗算して形成されるしきい値（ＤＰＳ*（バー）×ＴＨＲＳ）を超える決定したピークの遅延時間（ｄ1′…ｄN′；ｄmax1,ｄmax2，ｄmaxN）を選択するパス推定装置（ＰＥＳＴ）と、を備えたことを特徴とする前記装置。
（第１５の発明）  第８の発明（ＳＴＵ；図１０，図１４）において、前記パス選択ユニット（ＰＳＵ）が更に、
セクタ当り２つのアンテナ（Ａｎｔ１，Ａｎｔ２）の第１及び第２の実パワー遅延スペクトル（ＤＰＳ１，ＤＰＳ２）を合算する加算器（ＡＤＤ）であって、前記ピーク検出及び除去装置（ＰＤ−ＲＶ）が前記加算した実パワー遅延スペクトル（ＤＰＳ′）での各ピークを検出すると共に零にする前記加算器と、
前記パス推定装置（ＲＥＳＥＴ）によって決定された乗算したしきい値（ＤＰＳ*（バー）×ＴＨＲＳ）と決定した遅延値（ｄmax1,ｄmax2，ｄmaxN）での各アンテナの前記第１及び第２の実パワー遅延スペクトル（ＤＰＳ１，ＤＰＳ２）とをそれぞれ比較する第１及び第２のパス検査装置（ＰＶＥＲ１，ＰＶＥＲ２）であって、前記乗算したしきい値以上の前記第１及び第２のパワー遅延スペクトルでのこの種のピークのみが検出されてなる前記第１及び第２のパス検査装置と、を備えたことを特徴とする前記装置。
（第１６の発明）  第１５の発明（ＳＴＵ；図１０）において、おのおのが１つ以上のセクタ（ＳＥＣＴ１…ＳＥＣＴ６）をサーブする複数のサーチ装置（Ｓ１，…ＳＬ）から前記それぞれのパス検査装置（ＰＶＥＲ１，ＰＶＥＲ２）からの候補ピークを受信し、所定数（Ｎ）の最高ピーク並びにそれぞれのサーチ装置（Ｓ１…ＳＬ）の前記パス検査装置（ＰＶＥＲ１，ＰＶＥＲ２）によって出力したそれらの遅延時間（ｄ1′…ｄN′）を大きい順に順序付けし、どのセクタ（ＳＥＣＴ１…ＳＥＣＴ６）にそれぞれの遅延時間（ｄ1′…ｄN′）が属しているかを示す各遅延時間（ｄ1′…ｄN′）に対する選択情報（ｓ1′…ｓN′）を決定する最大検出装置（ＭＡＸ）を更に具備したことを特徴とする前記装置。
（第１７の発明）  第２の発明（ＳＴＵ；図３，図１１）において、前記無線フレーム（ＲＦｎ）はおのおのが１６のタイムスロットを備え、複数の実パワー遅延スペクトル（ＤＰＳ）は非可干渉的に計算されることを特徴とする前記装置。
（第１８の発明）  第６の発明（ＳＴＵ；図６，図１３，図１５）において、前記トラッキング及び制御ユニット（ＴＲＣＵ）は前記選択情報値（ｓ1′…ｓN′）及び前記遅延時間（ｄ1′…ｄN′）を受信すると共に、所定数（Ｐ）の遅延時間（ｄ1…ｄp）及び対応する選択情報（ｓ1…ｓp）を選択することを特徴とする前記装置。
（第１９の発明）  第１８の発明（ＳＴＵ；図６，図１３，図１５）において、前記トラッキング及び制御ユニット（ＴＲＣＵ）は前記選択情報（ｓ1′…ｓN′，ｓ1…ｓp）によって示されるように現在能動的及び非能動的セクタに対して所定のセクタ走査ルールを使用して、前記選択装置（ＳＥＬ）に対してそれぞれのセクタ（ＳＥＣＴ１…ＳＥＣＴ６）からのそれぞれのアンテナ信号（Ａｎｔ１，Ａｎｔ２）を前記所定のセクタ走査ルールに従って前記数のサーチユニット（Ｓ１…ＳＬ）に加えるように命令することを特徴とする前記装置。
（第２０の発明）  第１９の発明（ＳＴＵ；図６，図１３，図１５）において、前記トラッキング及び制御ユニット（ＴＲＣＵ）は各ラジオフレーム（ＲＦｎ）でのタイムスロット（ＴＳｉ）の数に基づいて、セクタ（ＳＥＣＴ１…ＳＥＣＴ６）の総数、サーチ装置（Ｓ１…ＳＬ）の数、能動的セクタに対する所定の更新周期（１０ｍｓ）及び前記選択情報（ｓ1′…ｓN′，ｓ1…ｓp）によって示される現在能動的及び非能動的セクタの数、実パワー遅延スペクトル（ＤＰＳ）に関する所定数の可干渉性及び非可干渉性計算及び非能動的セクタ（ＳＥＣＴ１…ＳＥＣＴ６）に対する更新周期を決定し、この際、前記セクタ走査ルール（図１３ａ，図１３ｂ）は各ラジオフレーム（ＲＦｎ）の各それぞれのタイムスロット（ＴＳｉ）にてどのセクタを走査すべきかを示してなることを特徴とする前記装置。
（第２１の発明）  第１９または第２０の発明（ＳＴＵ；図６，図１３，図１５）において、移動方向及び前記移動局（ＭＳ）が移動するセル（ＣＬ）のセクタを決定するために、前記トラッキング及び制御ユニット（ＴＲＣＵ）は相互に関する各能動的及び非能動的セクタでの時間に渡るそれぞれの実パワー遅延スペクトル（ＤＰＳ）の変化を評価することを特徴とする前記装置。
（第２２の発明）  第１９または第２０の発明（ＳＴＵ；図６，図１３，図１５）において、前記トラッキング及び制御ユニット（ＴＲＣＵ）は、走査したセクタの状態が能動的から非能動的にまたはその逆に変化する毎に新しいセクタ走査ルールを選択することを特徴とする前記装置。
（第２３の発明）  第３の発明（ＳＴＵ；図６）において、前記マルチパス伝播遅延決定装置（ＳＴＵ）は前記ＣＤＭＡ基地局（ＢＳ）または前記移動局（ＭＳ）のレイク受信機（ＲＲ）に接続していることを特徴とする前記装置。
（第２４の発明）  ２つのダイバーシチ受信アンテナ（Ａｎｔ１，Ａｎｔ２）を有する所定数のセクタ（ＳＥＣＴ１…ＳＥＣＴ６）にそれぞれ細分されたＣＤＭＡセル（ＣＬ）内の複数の伝播パス（Ｐ１，Ｐ２）についてＣＤＭＡ基地局（ＢＳ）及びＣＤＭＡ移動局（ＭＳ）間のＣＤＭＡ信号伝送の実パワー遅延スペクトル（ＤＰＳ１，ＤＰＳ２）を決定するマルチパス伝播遅延決定装置（ＳＴＵ，図６，図１０）において、
前記実パワー遅延スペクトル（ＤＰＳ１，ＤＰＳ２）から、前記マルチパス伝送の所定数の伝播パス（Ｐ１，Ｐ２）の遅延時間（ｄ1′…ｄN′）を決定するパス選択ユニット（ＰＳＵ）を具備し、該パス選択ユニット（ＰＳＵ）が、
前記パワー遅延スペクトル（ＤＰＳ）での所定数のピーク（ＭＡＸ１，ＭＡＸ２，ＭＡＸｎ）を検出すると共に、該検出したピークに対応する前記実パワー遅延スペクトル（ＤＰＳ）のうちの少なくともそれらのサンプルを除去するかまたはこれらを零に設定するピーク検出／除去装置（ＰＤ−ＲＶ）と、
除去されたかまたは零に設定された前記ピークサンプルを有する前記実パワー遅延スペクトル（ＤＰＳ）を平均化するノイズ推定装置（ＮＥＳＴ）と、
有効ノイズ値としきい値因子（ＴＨＲＳ）と乗算することによって形成したしきい値（ＤＰＳ*（バー）×ＴＨＲＳ）を超えた前記決定したピークの遅延時間（ｄ1′…ｄN′；ｄmax1…ｄmaxN）を選択するパス推定装置（ＰＥＳＴ）と、
セクタ当り２つのアンテナ（Ａｎｔ１，Ａｎｔ２）の第１及び第２の実パワー遅延スペクトル（ＤＰＳ１，ＤＰＳ２）を合算する加算器（ＡＤＤ）であって、前記ピーク検出及び除去装置（ＰＤ−ＲＶ）が前記加算した実パワー遅延スペクトル（ＤＰＳ′）の各ピークを検出し及び零にするかまたは除去してなる前記加算器と、
前記パス推定装置（ＰＥＳＴ）によって決定された前記乗算したしきい値（ＤＰＳ*（バー）×ＴＨＲＳ）を決定した遅延値（ｄmax1，ｄmax2，ｄmaxN）にて各アンテナの前記第１及び第２の実パワー遅延スペクトル（ＤＰＳ１，ＤＰＳ２）とそれぞれ比較する第１及び第２のパス検査装置（ＰＶＥＲ１，ＰＶＥＲ２）であって、前記乗算したしきい値以上の前記第１及び第２のパワー遅延スペクトルのこの種のピークのみが検出されてなる前記第１及び第２のパス検査装置と、を備えたことを特徴とする前記装置。
（第２５の発明）  第２４の発明（ＳＴＵ；図１０）において、前記パス選択装置（ＰＳＵ）は更に、
おのおのが１つ以上のセクタ（ＳＥＣＴ１…ＳＥＣＴ６）をサーブする複数のサーチ装置（Ｓ１…ＳＬ）から前記それぞれのパス検査装置（ＰＶＥＲ１，ＰＶＥＲ２）からの候補ピークを受信し、所定数（Ｎ）の最高のピーク並びに前記それぞれのサーチ装置（Ｓ１…ＳＬ）の前記パス検査装置（ＰＶＥＲ１，ＰＶＥＲ２）によって出力されるそれらの遅延時間（ｄ1′…ｄN′）を大きい順に順序付けすると共に、前記それぞれの遅延時間（ｄ1′…ｄN′）がどのセクタ（ＳＥＣＴ１…ＳＥＣＴ６）に属しているかを示す各遅延時間（ｄ1′…ｄN′）に対して選択情報（ｓ1′…ｓN′）を決定する最大検出装置（ＭＡＸ）を備えていることを特徴とする前記装置。
（第２６の発明）  ２つのダイバーシチ受信アンテナ（Ａｎｔ１，Ａｎｔ２）を有する所定数のセクタ（ＳＥＣＴ１…ＳＥＣＴ６）にそれぞれ細分されたＣＤＭＡセル（ＣＬ）内の複数の伝播パス（Ｐ１，Ｐ２）についてＣＤＭＡ基地局（ＢＳ）及びＣＤＭＡ移動局（ＭＳ）間のＣＤＭＡ信号伝送の実パワー遅延スペクトル（ＤＰＳ１，ＤＰＳ２）を決定するマルチパス伝播遅延決定装置（ＳＴＵ）において、
各セクタでのマルチパス伝送の前記実パワー遅延スペクトル（ＤＰＳ１，ＤＰＳ２）を決定する複数のサーチ装置（Ｓ１…ＳＬ）と、
前記実パワー遅延スペクトル（ＤＰＳ１，ＤＰＳ２）から、前記マルチパス伝送の所定数の最も強い伝播パス（Ｐ１，Ｐ２）の各遅延時間（ｄ1′…ｄN′）及び該遅延時間（ｄ1′…ｄN′）が属する能動的セクタ（ＳＥＣＴ１…ＳＥＣＴ６）を示すそれぞれの選択情報（ｓ1′…ｓN′）を決定するパス選択ユニット（ＰＳＵ）と、
前記遅延時間、それに能動的及び非能動的セクタの前記選択情報（ｓ1′…ｓN′）に基づいて、セクタ走査ルール（図１３）を決定して、選択装置（ＳＥＬ）に対してラジオフレーム（ＲＦｎ）のそれぞれのタイムスロット（ＴＳｉ）での特別のタイミングで特別のアンテナ信号を前記サーチ装置（Ｓ１…ＳＬ）に加えるように命令すると共に、特別のアンテナ信号を前記サーチ装置（Ｓ１…ＳＬ）に加えたときにそれぞれ得られる実パワー遅延スペクトル（ＤＰＳ）を評価して、前記ＣＤＭＡセル（ＣＬ）内の前記移動局（ＭＳ）の位置及び／又は移動方向を決定するトラッキング及び制御装置（ＴＲＣＵ）と、を具備したことを特徴とする前記装置。
（第２７の発明）  第２６の発明（ＳＴＵ；図６，図１３，図１５）において、前記トラッキング及び制御ユニット（ＴＲＣＵ）は前記選択情報値（ｓ1′…ｓN′）及び前記遅延時間（ｄ1′…ｄN′）を受信すると共に、所定数（Ｐ）の遅延時間（ｄ1…ｄp）及び対応する選択情報（ｓ1…ｓp）を選択することを特徴とする前記装置。
（第２８の発明）  第２６または第２７の発明（ＳＴＵ；図６，図１３，図１５）において、前記トラッキング及び制御ユニット（ＴＲＣＵ）は各ラジオフレーム（ＲＦｎ）でのタイムスロット（ＴＳｉ）の数に基づいて、セクタ（ＳＥＣＴ１…ＳＥＣＴ６）の総数、サーチ装置（Ｓ１…ＳＬ）の数、能動的セクタに対する所定の更新周期（１０ｍｓ）及び前記選択情報（ｓ1′…ｓN′，ｓ1…ｓp）によって示される現在能動的及び非能動的セクタの数、実パワー遅延スペクトル（ＤＰＳ）に関する所定数の可干渉性及び非可干渉性計算及び非能動的セクタ（ＳＥＣＴ１…ＳＥＣＴ６）に対する更新周期を決定し、この際、前記セクタ走査ルール（図１３ａ，図１３ｂ）は各ラジオフレーム（ＲＦｎ）の各それぞれのタイムスロット（ＴＳｉ）にてどのセクタを走査すべきかを示してなることを特徴とする前記装置。
（第２９の発明）  第２６から第２８の発明の何れか（ＳＴＵ，図６，図１３，図１５）において、走査されたセクタの状態が能動的から非能動的にまたはその逆に変化する度に、前記トラッキング及び制御ユニット（ＴＲＣＵ）は新しいセクタ走査ルールを選択することを特徴とする前記装置。